(57)【特許請求の範囲】
【請求項１】
物品を載置したパレットを保持する多段状の収納ラック又は積重ね可能な収納枠体を有し、該収納ラック又は収納枠体の上記パレットを保持する部位に振動を吸収するクッション体を分散状又は面状に配置し、このクッション体は、ビニール絶縁ビニールシースケーブルの樹脂の再生品（ＳＶケーブル再生品）を３０〜６０重量部と、架橋ポリエチレン絶縁ビニールシースケーブルの樹脂の再生品（ＣＶケーブル再生品）を２０〜５０重量部と、可塑剤を１０〜３０重量部含み、このＳＶケーブル再生品、ＣＶケーブル再生品及び可塑剤の含有量がＳＶケーブル再生品、ＣＶケーブル再生品、可塑剤の順序で少なくなっているものである収納ラック又は収納枠体。
【請求項２】
上記収納ラック又は収納枠体の上記パレットを保持する部位が縦方向及び／または横方向に延びる枠材によって形成されており、上記クッション体が上記枠材に嵌め合せできるような嵌合部を有し、このクッション体の複数個を上記パレットを保持する部位の枠材に分散状態に嵌め合せた請求項１に記載の収納ラック又は収納枠体。
【請求項３】
上記クッション体の上面には、上方に突出する複数の突起が分散状態に設けられている請求項１又は２に記載の収納ラック又は収納枠体。
【請求項４】
上記クッション体は、収納ラック又は収納枠体における上記パレットを保持する部位に面状に配置されるような厚いシート状に形成され、その上面には上方に突出する複数の突起が分散状態に設けられている請求項１に記載の収納ラック又は収納枠体。
【請求項５】
物品を載置したパレットを保持する多段状の収納ラック又は積重ね可能な収納枠体における上記パレットを保持する部位に分散状に配置されるもので、上記パレットを保持する部分に位置する枠材に嵌め合わせができるように、枠材の上部区帯に添う上面と、該上面の両側から下方に伸びて枠材の両側部区帯に添う両側面とを備え、上記上面には上方に突出する複数の突起を形成しており、このクッション体がビニール絶縁ビニールシースケーブルの樹脂の再生品（ＳＶケーブル再生品）を３０〜６０重量部と、架橋ポリエチレン絶縁ビニールシースケーブルの樹脂の再生品（ＣＶケーブル再生品）を２０〜５０重量部と、可塑剤を１０〜３０重量部含むもので形成され、上記ＳＶケーブル再生品、ＣＶケーブル再生品及び可塑剤の含有量がＳＶケーブル再生品、ＣＶケーブル再生品、可塑剤の順序で少なくなっているものである収納ラック又は収納枠体用のクッション体。
【請求項６】
上記クッション体は、上記枠材の上部区帯に添う上面と、該上面の両側から下方に伸びて枠材の両側部区帯に添う両側面と、更に両側面の下方から枠材の底部区帯の一部に添うように内方に張出す底面を備えている請求項５に記載の収納ラック又は収納枠体用のクッション体。
【請求項７】
商品を載置したパレットを載置する多段状の収納ラック又は積重ね可能な収納枠体における上記パレットを載置する部分に面状に配置されるもので、上記パレットを載置する部位に位置する枠材の上に載る底面と、商品を載置したパレットが載る上面を備え、上記上面には上方に突出する複数の突起を分散状態に形成しており、このクッション体がビニール絶縁ビニールシースケーブルの樹脂の再生品（ＳＶケーブル再生品）を３０〜６０重量部と、架橋ポリエチレン絶縁ビニールシースケーブルの樹脂の再生品（ＣＶケーブル再生品）を２０〜５０重量部と、可塑剤を１０〜３０重量部含むもので形成され、上記ＳＶケーブル再生品、ＣＶケーブル再生品及び可塑剤の含有量が、ＳＶケーブル再生品、ＣＶケーブル再生品、可塑剤の順序で少なくなっているものである収納ラック又は収納枠体用のクッション体。
【請求項８】
物品を載置したパレットを保持する多段状の収納ラック又は積重ね可能な収納枠体を有し、該収納ラック又は収納枠体の上記パレットを保持する部位に振動を吸収するクッション体を分散状又は面状に配置し、このクッション体は、ビニール絶縁ビニールシースケーブルの樹脂の再生品（ＳＶケーブル再生品）を３０〜６０重量部と、架橋ポリエチレン絶縁ビニールシースケーブルの樹脂の再生品（ＣＶケーブル再生品）を２０〜５０重量部と、可塑剤を１０〜３０重量部を含んでなり、このＳＶケーブル再生品、ＣＶケーブル再生品及び可塑剤の含有量がＳＶケーブル再生品、ＣＶケーブル再生品、可塑剤の順序で少なくなるように形成する収納ラック又は収納枠体の製造方法。
【請求項９】
物品を載置したパレットを保持する多段状の収納ラック又は積重ね可能な収納枠体における上記パレットを保持する部位に分散状に配置するように形成され、上記パレットを保持する部分に位置する枠材に嵌め合わせができるように、枠材の上部区帯に添う上面と、該上面の両側から下方に伸びて枠材の両側部区帯に添う両側面とを設け、上記上面には上方に突出する複数の突起を形成し、このクッション体がビニール絶縁ビニールシースケーブルの樹脂の再生品（ＳＶケーブル再生品）を３０〜６０重量部と、架橋ポリエチレン絶縁ビニールシースケーブルの樹脂の再生品（ＣＶケーブル再生品）を２０〜５０重量部と、可塑剤を１０〜３０重量部含んでなり、上記ＳＶケーブル再生品、ＣＶケーブル再生品及び可塑剤の含有量がＳＶケーブル再生品、ＣＶケーブル再生品、可塑剤の順序で少なくなるように形成する収納ラック又は収納枠体用のクッション体の製造方法。
【発明の詳細な説明】
【技術分野】
【０００１】
本発明は、地震があった際にも充分に耐えて、物品を確実に保持することができる耐震性収納ラック又は収納枠体及びそのクッション体に関するものである。
【背景技術】
【０００２】
各種物品の物流を円滑に行う為に、物流センターなどにおいて、物品の受入れ、保管、出荷などの作業が行われている。
物流センターなどにおいては限られたスペースに物品を保管しておくために、収納ラックを設置して物品を収納したり、また、例えばネステナー（登録商標）、重量ラックのような収納枠体を積み重ねて物品を収納したりしているが、地震などが起こると、収納ラックや収納枠体の上を滑って物品が落下したり、破損したりすることが起ることがある。
【０００３】
こうしたことから、収納ラックや収納枠体に物品を保管しているときの耐震性を向上させて、キチンと収納した状態を保持して物品を安全に保管することが必要であり、それと同時に、物品を受け入れて収納したり、収納した物品を引き出すことが容易に行えることも必要とされている。
【先行技術文献】
【特許文献】
【０００４】
【特許文献１】特開平１１−１４１６１５号公報
【特許文献２】特開２００４−２１０５２６号公報
【発明の概要】
【発明が解決しようとする課題】
【０００５】
本発明は、収納ラックや収納枠体に収納されて保管されている物品を、地震が起ったときなどにも安全に保持することができると共に、商品の収納、引出しが容易にできる、耐震性の収納ラック又は収納枠体及びこれに使用されるクッション体を提供しようとするものである。
【課題を解決するための手段】
【０００６】
本発明は、物品を載置したパレットを保持するように形成した多段状の収納ラック又は積重ね可能な収納枠体において、上記パレットを保持する部位に地震などによって起る振動を吸収することができるようなクッション体が分散状又は面状に配置されており、このクッション体は、ビニール絶縁ビニールシースケーブルの樹脂の再生品（ＳＶケーブル再生品）を３０〜６０重量部と、架橋ポリエチレン絶縁ビニールシースケーブルの樹脂の再生品（ＣＶケーブル再生品）を２０〜５０重量部と、可塑剤を１０〜３０重量部含有しているものであって、このＳＶケーブル再生品、ＣＶケーブル再生品及び可塑剤の含有量はＳＶケーブル再生品、ＣＶケーブル再生品、可塑剤の順序で少なくしていて耐震用収納ラック又は収納枠体としたものである。
【０００７】
また、本発明においては、物品を載置したパレットを保持する多段状の収納ラック又は積重ね可能な収納枠体における上記パレットを保持する部位に分散状に配置されるものであって、上記パレットを保持する部位に位置する枠材に嵌め合わせができるように、枠材の上部区帯に添う上面と、該上面の両側から下方に伸びて枠材の両側部区帯に添う両側面とを備え、上記上面には上方に突出する複数の突起を形成しており、これがビニール絶縁ビニールシースケーブルの樹脂の再生品（ＳＶケーブル再生品）を３０〜６０重量部と、架橋ポリエチレン絶縁ビニールシースケーブルの樹脂の再生品（ＣＶケーブル再生品）を２０〜５０重量部と、可塑剤を１０〜３０重量部含むもので形成され、上記ＳＶケーブル再生品、ＣＶケーブル再生品及び可塑剤の含有量がＳＶケーブル再生品、ＣＶケーブル再生品、可塑剤の順序で少なくなっている耐震用収納ラック又は収納枠体用のクッション体としたものである。
【０００８】
また、他のクッション体は、物品を載置したパレットを載置する多段状の収納ラック又は積重ね可能な収納枠体における上記パレットを載置する部位に面状に配置されるものであって、上記パレットを載置する部位に位置する枠材の上に載る底面と、商品を載置したパレットが載る上面を備え、上記上面には上方に突出する複数の突起を分散状態に形成するようにしたものである。
【発明の効果】
【０００９】
本発明によれば、収納ラック又は収納枠体に上記したクッション体が使用されているので、例えば、物品をパレットに載せた状態で収納ラック又は収納枠体のパレットを保持する部位に収納し、載置すると、このパレットをクッション体が下方よりグリップするように支持するようになるので、地震が起ったときにもその揺れを充分に吸収して、パレットが移動したり落ちたりして収納されている物品が落下したり、壊れたりするようなことを確実に防止することができる。また、収納ラック又は収納枠体装着されているクッション体は、物品を収納したり、取り出したりする際にも邪魔にならず、効率的に保管、管理を行うことができる。また、クッション体にケーブルに使用されている樹脂の再生品を使用しているので経済的に用いることができる。
【図面の簡単な説明】
【００１０】
【図１】本発明の実施例の耐震用収納ラックを示す斜視図である。
【図２】図１に示す前端部の主枠体にクッション体を取付けた状態を示す斜視図である。
【図３】図１に示す補助枠体にクッション体を取付けた状態を示す斜視図である。
【図４】図２に示すクッション体の断面図である。
【図５】図２に示すクッション体の変形例を示す断面図である。
【図６】本発明の他の実施例の耐震用の収納枠体を示す斜視図である。
【図７】図６に示す耐震用の収納枠体の枠材に取付けたクッション体の斜視図である。
【図８】図６に示す耐震用の収納枠体に物品を載せたパレットを支持させた状態を示す斜視図である。
【図９】図６に示す耐震用の収納枠体を多段に積み重ねた状態を示す斜視図である。
【図１０】本発明の他の耐震用の収納枠体に物品を載せたパレットを支持させた状態を示す斜視図である。
【図１１】シート状をした他のクッション体の平面図である。
【図１２】図１１に示すものの一部断面図である。
【図１３】ケーブルの構造を示す断面図である。
【発明を実施するための形態】
【００１１】
物流センターなどにおいて限られたスペースに多量の物品を効率的に保管しておくための収納ラック１には、支柱２間を連結する主枠材３と補助枠材４があって、主枠材３と補助枠材４によって、収納・保管する物品５を載せたパレット６を保持する部位７が形成されている。
上記パレット６を保持する部位７にはクッション体１０が分散状態に配置されていて、上記パレット６を支持している。
【００１２】
図１に示すものでは、収納ラック１の主枠材３の前端部にあるものには、嵌合部１１を設けたクッション体１０の上記嵌合部１１を主枠材３に嵌め合せるようにして配置している（図２）。また、補助枠材４には、同様に嵌合部１１を設けたクッション体１０が嵌め合わされている（図３）。
これらのクッション体１０は、主枠材３や補助枠材４などの枠材の上部区帯１２に添うような上面１３と、この上面１３の両側から下方向に延びて枠材の両側部区帯１４に添うような両側面１５を備えている。
図示する主枠材３の前端部に嵌め合わされたクッション体１０においては、枠材の側部区帯１４の形状に添うように一方の側面１５の一部が肉厚部１６となっており、枠体より一層外れ難くなっている。
【００１３】
上記主枠材３や補助枠材４などの枠材に嵌め合わせたクッション体１０の上面１３には、上方に突出する突起２０を分散状態に設けている。図に示す突起２０は平面形状が円形となっているが、小判型、四角や六角などの角型その他の適宜の形状にすることができる。また、突起の個数も必要に応じて適宜に増減することができる。
図５に示す上記主枠材３の前端部に嵌め合わされたクッション体１０の変形例においては、その前面上端部に上方に伸びる段部１７が形成されており、保持する部位７にパレット６を載せたときに、パレット６が前方に移動して上記の保持する部位７から一層外れ難くしている。
【００１４】
また、図３に示すクッション体１０のように、必要に応じて、上記枠材の両側部区帯１４に添うような両側面１５の下方から、枠材の底部区帯の一部を覆うように内方に向かって張出すような底面１９を設けることができる。この底面１９によってクッション体１０が補助枠体４から外れることを一層のこと防止することができる。
更に、上記各クッション体１０はボルトとナットなどの固定具によって枠材に固定するようにして取り付けておくこともできる。
【００１５】
上記クッション体１０は、ビニール絶縁ビニールシースケーブルの樹脂の再生品（ＳＶケーブル再生品）と、架橋ポリエチレン絶縁ビニールシースケーブルの樹脂の再生品（ＣＶケーブル再生品）と、上記両再生品を可塑化する為の可塑剤を含む再生樹脂によって形成されている。
上記ケーブル４０は、例えば、図１３に示すような導線４１を絶縁体４２で覆い、これの何本かを不燃性の介在物４３を介在させてシース４４で包んだものであって、ＳＶケーブルは、上記絶縁体４２がビニール（塩化ビニール）で形成され、シース４４もビニール（塩化ビニール）で形成されている。上記ＳＶケーブル再生品は、この絶縁体４２とシース４４のビニール（塩化ビニール）樹脂を再生したものである。
【００１６】
ＣＶケーブルは、上記絶縁体４２が架橋ポリエチレンで形成され、シース４４がビニール（塩化ビニール）で形成されているものであって、ＣＶケーブル再生品は、この絶縁体４２の架橋ポリエチレンとシース４４のビニール（塩化ビニール）樹脂を再生したものである。
上記可塑剤としては、上記した再生品に応じた公知のものを適宜に使用することができる。
【００１７】
上記クッション体１０を形成する再生樹脂は、ＳＶケーブル再生品を３０〜６０重量部、ＣＶケーブル再生品を２０〜５０重量部、可塑剤を１０〜３０重量部含むものであって、かつ、これらのＳＶケーブル再生品、ＣＶケーブル再生品及び可塑剤の含有量は、ＳＶケーブル再生品、ＣＶケーブル再生品、可塑剤の順序で少なくなるように形成されている。
【００１８】
上記のＳＶケーブル再生品は比較的弾性に富んでいるものであり、ＣＶケーブル再生品は弾性を有するものであるがＳＶケーブル再生品に比べて剛性を有しているものであって、これらを上記した比率で含有させることによって、弾性を有する中にも適度の剛性があって、物品を載置しているパレットを置くと適度に撓んでパレットを確実にホールドするようにして支持することができると共に、地震などの振動を吸収して物品を安全に保持していることができる。
【００１９】
パレットが樹脂で形成されているものでは、木製に比べて滑り易いけれども、そうした場合であっても、収納ラック１に設置したクッション体１０によってその滑りを止めて、物品を確実に保持することができる。
上記パレット６の上に多数の物品５を載せるような場合など、荷崩れを起こし易い場合には、物品をシュリンクフイルムなどによってラップしておくと好ましいことが多い。
【００２０】
上記の再生樹脂は、好ましくは、ＳＶケーブル再生品を４０〜５０重量部、ＣＶケーブル再生品を３０〜４０重量部、可塑剤を１５〜２５重量部含むものとするのがよく、例えば、ＳＶケーブル再生品を４５重量部、ＣＶケーブル再生品を３５重量部、可塑剤を２０重量部含むものなどがある。上記ＳＶケーブル再生品が３０重量部より少ないと柔軟性の少ないものとなり、ＣＶケーブル再生品が５０重量部を超えると剛性が強すぎるものとなる。
【００２１】
図６、７には、他の形式のクッション体で収納枠体２１に適応したものを示している。この収納枠体２１には、物品を保持する部位７から下方に延びる枠材２３があって、物品を保持する部位７の枠材２４には、複数個、図では５個のクッション体２２が分散状態に取り付けられている。
このクッション体２２には、同じく嵌合部１１があって、上記した図２〜４に示すようなクッション体とほぼ同様に、物品を保持する部位７の枠材２４の上部区帯２５に添うような上面２６と、この上面２６の両側から下方向に延びて枠材の両側部区帯２７に添うような両側面２８を備えており、更に、上記上面２６には上方に突出する突起２９を分散状態に設けたものである。
【００２２】
こうした収納枠体２１には、図８に示すように物品５を載せたパレット６を置いて支持させることができ、この収納枠体２１によって形成されるスペース３０内にも物品を載せたパレットを収納して置くことができる。
この収納枠体２１は、図９に示すように積み重ねることが出来るようになっていて、上記枠材２３によって形成されるスペース３０に物品５を載せたパレット６を収納して支持している。
【００２３】
この収納枠体の別のタイプとして、図１０に示すように、物品を保持する部位７から上方に延びる枠材３７を設けて、これを積み重ねることが出来るようにした収納枠体３８もあり、上記図６に示す収納枠体２１と上記したスペースの上下が異なっているだけで、同様にして使用することができる。
上記した収納枠体２１、３８は、例えば、ネステナー（登録商標）と名称されていて一般的に使用されているものである。
【００２４】
上記した物品を保持する部位７には、図１１，１２に示すような厚みのあるシート状に形成したクッション体３１を位置させて、面状に覆うようにするものがある。
このクッション体３１は、厚いシート体３２があって、その上面３３には上方に突出する突起３４を分散状態に設けたものであり、これを収納ラック１又は収納枠体２１、３８の物品を保持する部位７の上に位置させて、面状に覆うようにする。
このクッション体３１の上に物品５を載せたパレット６を置くと、地震などの振動から物品を守ることができる。
【００２５】
このシート状のクッション体３１は、収納ラック１又は収納枠体２１、３８の物品を保持する部位７に位置させるだけでなく、図９に示すように収納枠体２１が配置されている床面３６に置き、その上に物品５を載せたパレット６を載せるようにして使用することができる。
また、同様に収納ラック１が設けられた床面に配置したり、収納ラック１又は収納枠体２１、３８が配置されていない床面に置いて使用することもできる。
【００２６】
上記した各種のクッション体において嵌合部１１が形成されているものでは、これを枠体から取外すことができるので、必要に応じて収納ラック１又は収納枠体２１、３８の物品を保持する部位７の枠材における位置を適宜に変えて付け替えることができ、パレットに載せる物品によって取り付け位置を変更したり、配置する個数を増減することが可能である。また、上記したクッション体は、上記各種のものを、適宜に組合わせて使用するとよいこともある。
【符号の説明】
【００２７】
１        耐震用収納ラック
２        支柱
３、４    枠材
５        物品
６        パレット
７        パレットを保持する部位
１０、２２、３１  クッション体
１１      クッション体の嵌合部
１３、２６  クッション体の上面
１５、２８  クッション体の側面
１７      クッション体の段部
１９      クッション体の底面
２１、３８  収納枠体
２０、２９、３４  突起
３０      スペース
３２      シート体
【図１】
0005947538.tif 000002
【図２】
0005947538.tif 000003
【図３】
0005947538.tif 000004
【図４】
0005947538.tif 000005
【図５】
0005947538.tif 000006
【図６】
0005947538.tif 000007
【図７】
0005947538.tif 000008
【図８】
0005947538.tif 000009
【図９】
0005947538.tif 000010
【図１０】
0005947538.tif 000011
【図１１】
0005947538.tif 000012
【図１２】
0005947538.tif 000013
【図１３】
0005947538.tif 000014